【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
ハウジング（１）を備えるフローサイトメーターのためのノズルであって、当該ハウジングは、当該ハウジングの長手軸線（５）に対して回転対称である内壁を有しており、
当該ハウジングの内部断面は、当該ハウジングの長手軸線（５）に沿って当該ハウジングの第２端部（４）から、当該ハウジングの第１端部（３）における出口（２）へと先細になり、
前記ハウジング内に中心流液体のために、円形の、または細長い内部断面を有する供給管（７）が設けられており、
当該供給管は、流入開口部（１１）を有しており、
当該供給管は、当該供給管の第１端部（８）に設けられた流出開口部（９）において、前記出口（２）に対して距離をおいて終結しており、
シース流液体のための入口（２３）が、前記ハウジング（１）に設けられており、
前記ノズルは、ガイド要素（１２）を備え、当該ガイド要素は、前記長手軸線（５）に沿って、前記長手軸線（５）に対して垂直な第１次元（１６）に沿って、当該ガイド要素が前記長手軸線（５）および前記第１次元（１６）に対して垂直な第２次元（１７）において延在するよりも大きな程度で、前記ハウジング（１）の内壁に対してある距離をおくまで延在し、
前記ガイド要素（１２）は、前記供給管（７）の前記第１端部（８）の平面内にある、または、前記供給管の前記第１端部（８）からある距離の分だけ対向してずらされている、前記ガイド要素の第１端部（１３）から、前記ノズル（１）の前記第２端部（４）から距離をおいて設けられている前記ガイド要素の第２端部（１４，１４ａ，１４ｂ）まで延在する、ノズルにおいて、
前記ガイド要素（１２）は、前記ガイド要素の第１端部（１３）に第１端部部分（２５）を有しており、当該第１端部部分は、前記ハウジング（１）の先細になる部分に設けられており、当該第１端部部分の縁は、前記ハウジング（１）の前記内壁に対して距離をおいて設けられており、
前記ガイド要素（１２）は、前記第１端部（１３）に対向しながら前記第１端部部分に隣接する第２端部部分（２６）を有しており、
当該第２端部部分は、前記第１端部（１３）に対向する前記ガイド要素（１２）の前記第２端部（１４，１４ａ，１４ｂ）に向かって、前記ガイド要素の第１次元において先細になり、
前記ガイド要素（１２）は、第１端部部分と第２端部部分（２５，２６）の間で、前記第１次元における前記ガイド要素の最大の延在（２９）を有していることを特徴とする、ノズル。
【請求項２】
前記ガイド要素（１２）は、前記供給管（７）によって支持され、
前記ガイド要素は、前記供給管（７）上の前記ガイド要素の第２端部（１４，１４ａ，１４ｂ）において終結し、
前記ガイド要素（１２）の前記第２端部（１４，１４ａ，１４ｂ）の距離は、前記ハウジング（１）内部に設けられている前記供給管（７）の長さの少なくとも２０％であることを特徴とする請求項１に記載のノズル。
【請求項３】
移行部分（２７）は、前記ガイド要素（１２）の前記第２端部（１４，１４ａ，１４ｂ）に隣接して設けられており、
当該移行部分は、前記ガイド要素（１２）とともに狭窄部（３０）を形成するとともに、前記ガイド要素（１２）に対向し、かつ前記移行部分（２７）に隣接する状態でのシリンダ部分（２８）に隣接しており、
当該シリンダ部分は、前記供給管（７）に沿って延在することを特徴とする請求項１または２に記載のノズル。
【請求項４】
前記ガイド要素（１２ａ）の前記第１端部（１３ａ）は、前記流出開口部（９）が延在する平面内に設けられていることを特徴とする請求項１から３のいずれか一項に記載のノズル。
【請求項５】
前記ガイド要素（１２，１２ａ，１２ｂ）の断面（１５ａ，１５ｂ）の前記第２次元（１７）は、前記長手軸線（５）からの距離が増大するにつれて減少することを特徴とする請求項１から４のいずれか一項に記載のノズル。
【請求項６】
前記ガイド要素（１２）は、前記ガイド要素の第１端部（１３）に隣接する第１端部部分（２５）において、前記第１次元（１６）において前記ハウジング（１）の前記内壁に対して平行に設けられている縁（１８）まで延在することを特徴とする請求項１から５のいずれか一項に記載のノズル。
【請求項７】
前記供給管（７）は、前記長手軸線（５）に対して同軸に延在することを特徴とする請求項１から６のいずれか一項に記載のノズル。
【請求項８】
前記供給管（７）は、前記ガイド要素（１２，１２ａ，１２ｂ）内に孔として形成されていることを特徴とする請求項１から７のいずれか一項に記載のノズル。
【請求項９】
前記供給管（７）は、前記ガイド要素（１２，１２ａ，１２ｂ）内に固定されていることを特徴とする請求項１から８のいずれか一項に記載のノズル。
【請求項１０】
前記ガイド要素（１２，１２ａ，１２ｂ）は、前記供給管（７）とともに、前記ハウジング（１）を当該ハウジングの第２端部（４）において被覆するカバー（６）に可逆的に固定可能であることを特徴とする請求項１から９のいずれか一項に記載のノズル。
【請求項１１】
前記ノズルは、中心流液体のためのバッファ容器（１９）を有しており、
当該バッファ容器内において、前記供給管（７）の前記流入開口部（１１）は、出口を有していることを特徴とする請求項１から１０のいずれか一項に記載のノズル。
【請求項１２】
前記ノズルは、シース流液体のためのバッファ容器（２２）を有しており、
当該バッファ容器は、シース流液体のための入口（２３）と連通していることを特徴とする請求項１から１１のいずれか一項に記載のノズル。
【請求項１３】
前記ガイド要素（１２）は、当該ガイド要素の断面の前記第２次元（１７）において延在する厚さを有しており、当該厚さは、前記ガイド要素の前記第１次元（１６）における延在よりも小さいことを特徴とする請求項１から１２のいずれか一項に記載のノズル。
【請求項１４】
前記ガイド要素（１２）は前記第２次元（１７）において、前記第１次元（１６）における延在に対して最大５０％で延在することを特徴とする請求項１３に記載のノズル。
【請求項１５】
前記ガイド要素（１２）の断面は、前記第２次元（１７）において、前記第１次元（１６）に沿って前記ハウジング（１）の前記長手軸線（５）から前記ガイド要素の前記縁（１８）に至るまで減少することを特徴とする請求項１から１４のいずれか一項に記載のノズル。
【請求項１６】
粒子を含む中心流液体を請求項１から１５のいずれか一項に記載のノズルのうち中心流液体のための流入開口部（１１）に流入させ、シース流液体を請求項１から１５のいずれか一項に記載のノズルのうちシース流液体のための入口開口部（２３）に流入させることによって、シース流に包囲されるとともに粒子を含む中心流を備える液体流を作り出すための方法。
【請求項１７】
前記粒子は、前記ノズルの前記ハウジング（１）の前記長手軸線（５）に対して垂直な第１次元（１６）において、前記長手軸線（５）および前記第１次元（１６）に対して垂直な第２次元（１７）におけるよりも小さい断面を有していることを特徴とする請求項１６に記載の方法。
【請求項１８】
前記ノズルから流出する液体流において、前記中心流に含まれる前記粒子の少なくとも一つの特性を検出し、
前記粒子は、検出される前記特性に応じて少なくとも二つの画分に分けられる、または、検出される前記特性に応じて異なって処理されることを特徴とする請求項１６または１７に記載の方法。
【請求項１９】
第１次元と第２次元とを備える断面を有する粒子の試料を製造するための請求項１６から１８のいずれか一項に記載の方法であって、前記粒子が前記第１次元において前記第２次元におけるよりも小さい、方法において、
前記粒子は、人間以外の哺乳動物の精子であり、検出される前記特性は、前記精子におけるＸ染色体またはＹ染色体の存在であり、前記方法は、検出される前記特性に応じて前記精子を照射すること、または、検出される前記特性に応じて前記精子を少なくとも二つの異なる画分へと偏向させること、によって行われることを特徴とする、方法。